(57)【要約】【課題】ファクシミリ受信時等のモニタ音について、即座に音量を変更する仕組みを提供する。【解決手段】本画像形成装置は、ファクシミリデータの受信に応じて、予め設定された音量でモニタ音を出力し、当該音量を調節する設定入力画面を表示部に表示する。【選択図】  図５
2019169809.tif 000002
【特許請求の範囲】
【請求項１】
画像形成装置であって、
ファクシミリデータを受信する受信手段と、
前記受信手段による前記ファクシミリデータの受信に応じて、予め設定された音量でモニタ音を出力する音声出力手段と、
前記受信手段による前記ファクシミリデータの受信に応じて、当該音量を調節する設定入力画面を表示部に表示する制御手段と
を備えることを特徴とする画像形成装置。
【請求項２】
前記制御手段は、前記予め設定された音量が所定値以上であれば、前記設定入力画面を前記表示部に表示することを特徴とする請求項１に記載の画像形成装置。
【請求項３】
前記画像形成装置に接近する人を検知する人感センサをさらに備え、
前記制御手段は、
前記画像形成装置の省電力状態において、前記人感センサによって前記画像形成装置に接近する人が検知されると、前記省電力状態からスタンバイ状態へ復帰させ、当該復帰時において、前記受信手段によって前記ファクシミリデータを受信していれば、前記設定入力画面を前記表示部に表示し、前記受信手段によって前記ファクシミリデータを受信していなければ通常の画面を前記表示部に表示することを特徴とする請求項１又は２に記載の画像形成装置。
【請求項４】
入力手段をさらに備え、
前記制御手段は、
前記画像形成装置の省電力状態において、前記入力手段を介してユーザ入力を受け付けると、前記省電力状態からスタンバイ状態へ復帰させ、当該復帰時において、前記受信手段によって前記ファクシミリデータを受信していれば、前記設定入力画面を前記表示部に表示し、前記受信手段によって前記ファクシミリデータを受信していなければ通常の画面を前記表示部に表示することを特徴とする請求項１乃至３の何れか１項に記載の画像形成装置。
【請求項５】
ユーザを認証する認証手段をさらに備え、
前記制御手段は、
前記認証手段による認証が行われていない場合に、ユーザに認証を行うための入力を促す認証待機画面を前記表示部に表示し、
前記表示部に前記認証待機画面が表示されている間に、前記受信手段による前記ファクシミリデータの受信に応じて、前記認証手段による認証処理を必要とすることなく、前記設定入力画面を前記表示部に表示することを特徴とする請求項１乃至４の何れか１項に記載の画像形成装置。
【請求項６】
前記制御手段は、前記設定入力画面を表示する前に、該設定入力画面を表示するか否かを問い合わせる許可入力画面を前記表示部に表示し、該許可入力画面を介して前記設定入力画面を表示する許可がユーザ入力されると、該設定入力画面を前記表示部に表示することを特徴とする請求項１乃至５の何れか１項に記載の画像形成装置。
【請求項７】
前記設定入力画面は、前記モニタ音を消す設定を行うことが可能な表示を含むことを特徴とする請求項１乃至６の何れか１項に記載の画像形成装置。
【請求項８】
前記制御手段は、前記受信手段による前記ファクシミリデータの受信が完了すると、前記設定入力画面を介して調節されたモニタ音の音量を、前記予め設定された音量に戻すことを特徴とする請求項１乃至７の何れか１項に記載の画像形成装置。
【請求項９】
前記制御手段は、前記受信手段による前記ファクシミリデータの受信が完了すると、前記設定入力画面を介して調節されたモニタ音の音量で、前記予め設定された音量を更新することを特徴とする請求項１乃至７の何れか１項に記載の画像形成装置。
【請求項１０】
画像形成装置の制御方法であって、
受信手段が、ファクシミリデータを受信する受信工程と、
音声出力手段が、前記受信工程での前記ファクシミリデータの受信に応じて、予め設定された音量でモニタ音を出力する音声出力工程と、
制御手段が、前記受信工程での前記ファクシミリデータの受信に応じて、当該音量を調節する設定入力画面を表示部に表示する制御工程と
を含むことを特徴とする画像形成装置の制御方法。
【請求項１１】
装置の制御方法における各工程をコンピュータに実行させるためのプログラムであって、前記制御方法は、
受信手段が、ファクシミリデータを受信する受信工程と、
音声出力手段が、前記受信工程での前記ファクシミリデータの受信に応じて、予め設定された音量でモニタ音を出力する音声出力工程と、
制御手段が、前記受信工程での前記ファクシミリデータの受信に応じて、当該音量を調節する設定入力画面を表示部に表示する制御工程と
を含むことを特徴とするプログラム。
【発明の詳細な説明】
【技術分野】
【０００１】
本発明は、画像形成装置、その制御方法、及びプログラムに関する。
【背景技術】
【０００２】
従来、ファクシミリ機能を備えた画像形成装置は、回線の状態をモニタできるよう、スピーカを備えていることが一般的である。ユーザはモニタ音を聞くことで、ファクシミリ受信があったことや、操作時のキー入力音、電話端末として利用した時の相手からの応答等が確認できる。また、ファクシミリメールサービスでは、相手からの操作手順の説明をモニタ音で聞きながら操作を行うことができる。操作手順の説明はこちらの都合とは関係なく進んでいくため、音量が小さく聞き取り辛いと、音量設定の切替を行う操作を素早く行う必要が生じる。
【０００３】
これに対して自動的に表示する技術が開示されている。これによると、例えばファクシミリメールサービス利用時にオンフックキーを押下すると、操作部に音量キーが表示されるため、音量が小さい時は即座に音量を大きくすることが可能となる。
【先行技術文献】
【特許文献】
【０００４】
【特許文献１】特開２０００−２２８７７号公報
【発明の概要】
【発明が解決しようとする課題】
【０００５】
しかしながら、上記従来技術には以下に記載する課題がある。例えば、ファクシミリ受信時は通常、オンフックキー押下など必要のない自動受信が一般的である。従って、上記従来技術では、ファクシミリ受信時などに、即座に回線のモニタ音量設定を行いたい場合に応じることができない。そのため、通常はモニタ音量を大きく設定して受信を確認し易くしているが、来客時等のファクシミリ受信時に、即座に音量を抑える対応ができない、という課題があった。
【０００６】
本発明は、上述の問題の少なくとも一つに鑑みて成されたものであり、ファクシミリ受信時等のモニタ音について、即座に音量を変更する仕組みを提供することを目的とする。
【課題を解決するための手段】
【０００７】
本発明は、例えば、画像形成装置であって、ファクシミリデータを受信する受信手段と、前記受信手段による前記ファクシミリデータの受信に応じて、予め設定された音量でモニタ音を出力する音声出力手段と、前記受信手段による前記ファクシミリデータの受信に応じて、当該音量を調節する設定入力画面を表示部に表示する制御手段とを備えることを特徴とする。
【発明の効果】
【０００８】
本発明によれば、ファクシミリ受信時等のモニタ音について、即座に音量を変更することができる。
【図面の簡単な説明】
【０００９】
【図１】一実施形態に係る複合機１０００の構成を示す図。
【図２】一実施形態に係る複合機１０００のブロック図。
【図３】一実施形態に係るモニタ音量の設定入力画面４０１ａを示す図。
【図４】一実施形態に係る画面遷移の許可入力画面４０１ｂを示す図。
【図５】一実施形態に係る主制御部６００の動作フローチャート。
【図６】一実施形態に係る複合機１０００の構成を示す図。
【図７】一実施形態に係る複合機１０００のブロック図。
【図８】一実施形態に係る主制御部６００の動作フローチャート。
【図９】一実施形態に係る主制御部６００の動作フローチャート。
【図１０】一実施形態に係る複合機１０００のブロック図。
【図１１】認証待機画面４０１ｃ、メインメニュー画面４０１ｄを示す図。
【図１２】一実施形態に係る認証待機画面４０１ｃ、モニタ音量の設定入力画面４０１ａを示す図。
【図１３】一実施形態に係る認証待機画面４０１ｃ、画面遷移の許可入力画面４０１ｂを示す図。
【図１４】一実施形態に係る主制御部６００の動作フローチャート。
【発明を実施するための形態】
【００１０】
以下に本発明の一実施形態を示す。以下で説明される個別の実施形態は、本発明の上位概念、中位概念及び下位概念など種々の概念を理解するために役立つであろう。また、本発明の技術的範囲は、特許請求の範囲によって確立されるのであって、以下の個別の実施形態によって限定されるわけではない。
【００１１】
＜第１の実施形態＞
以下では、本発明の第１の実施形態について説明する。まず、図１を参照して、本発明の画像形成装置の一例を示す複合機１０００である。本実施形態では、画像形成装置の一例として複合機について説明する。しかし、本発明を限定する意図はなく、ファクシミリ機能を有する画像形成装置であれば本発明を適用することができる。
【００１２】
複合機１０００は、操作部４００、読取トレイ１００１、オートドキュメントフィーダ（ＡＤＦ）１００２、用紙カセット１００３、及び排紙トレイ１００４を備える。また、複合機１０００は、少なくともスキャン機能、コピー機能、プリント機能、及びファクシミリ機能を備えている。スキャン機能は、セットされた原稿を読み取って電子データ化する機能である。コピー機能は、スキャン機能で読み取ったデータを用紙に印刷する機能である。プリント機能は、ネットワークを介して接続された端末から受信したデータを用紙に印刷する機能である。ファクシミリ機能は、公衆回線を介して接続された端末同士で画像データの送受信を行える機能である。
【００１３】
ファクシミリ送信は、まず読取トレイ１００１に送信したい画像が描かれた原稿をセットし、操作部４００で送り先のファクシミリ番号を指定して送信開始の操作を行う。その後、ＡＤＦ１００２が原稿を引いて読み取りを開始し、読み取った電子データをファクシミリ通信のデータ形式に変換して、公衆回線を介した送信先の端末にデータ送信を行う。一方、ファクシミリ受信は、公衆回線を介して送信元の端末からファクシミリデータを受信し、用紙カセット１００３に積載された用紙を引いて受信データに基づき印刷を行い、排紙トレイ１００４に受信データに基づいて印刷された用紙を排紙する。
【００１４】
ファクシミリ送受信時はどちらも、端末同士でファクシミリ通信のプロトコルに沿った電気信号のやり取りを、公衆回線を介して行う。この時、複合機１０００に内蔵された、後述するスピーカ７００は、回線の電気信号をファクシミリ通信のモニタ音として音声出力する。複合機１０００のユーザは、このモニタ音を確認することで、ファクシミリ送受信が行われていることを認識することができる。
【００１５】
＜複合機の構成＞
次に、図２を参照して、本実施形態に係る複合機１０００の構成例について説明する。複合機１０００は、原稿読取部１００、印刷部２００、ファクシミリ制御部３００、操作部４００、回線Ｉ／Ｆ部５００、主制御部６００、及びスピーカ７００を備える。
【００１６】
原稿読取部１００は、読取トレイ１００１に載置され、ＡＤＦ１００２で引いた原稿を、不図示のＣＭＯＳやＣＣＤ等の撮像素子で、ＲＧＢ等のデータとして読み取り、デジタル画像データに変換して主制御部６００に転送する。印刷部２００は、主制御部６００から転送されてきたデジタル画像データを、不図示の電子写真機構により、用紙カセット１００３から引いてきた用紙にレーザ照射し、トナーを転写、定着させ、排紙トレイ１００４に印刷出力する。
【００１７】
ファクシミリ制御部３００は、モジュラージャック等で構成された回線Ｉ／Ｆ部５００の先に接続された公衆回線を介して、外部端末とファクシミリ通信を行う。ファクシミリ送信時は、まず主制御部６００から指示された送信先を発呼し、送信可能であることを確認する。次に、主制御部６００から転送されてきた圧縮画像データをアナログ化し、ファクシミリのプロトコルに従って送信先に送信する。ファクシミリ受信時は、まず送信元から公衆回線を介して着信を受けた後、ファクシミリ制御部３００は、受信可能であることを示す応答を行う。続いて、ファクシミリ制御部３００は、ファクシミリのプロトコルに従って画像データを受信し、デジタル化して主制御部６００に転送する。
【００１８】
また、ファクシミリ制御部３００はファクシミリ通信を行う回線の電気信号をモニタしており、当該電気信号を増幅してスピーカ７００で発音することが可能である。スピーカ７００の音量は、主制御部６００からの指示により、当該電気信号の増幅度合を調節することで設定可能となっている。
【００１９】
操作部４００は、液晶４０１、タッチパネル４０２、テンキー部４０３、及びＵＩ制御部４０４を備える。液晶４０１は、主制御部６００から転送されてくる表示画像データを画面に表示する。タッチパネル４０２は、液晶４０１の画面に重位置に設けられ、タッチ位置が判別可能な物理量を検知する。テンキー部４０３は、スイッチ等で構成されたテンキー、及びＬＥＤを含む。テンキー部４０３は、キー押下をＵＩ制御部４０４に伝えると共に、ＵＩ制御部４０４による点灯指示に従ってＬＥＤを点灯させる。
【００２０】
ＵＩ制御部４０４はマイコン等で構成され、液晶４０１で表示された各種入力画面に対して、タッチパネル４０２やテンキー部４０３を介して入力された内容を、主制御部６００に伝達する。具体的には、タッチパネル４０２のタッチ入力は、タッチ位置をｘ、ｙ座標で検知される。また、テンキー部４０３のキー入力は、複数ある中から押下されたキーを検知し、主制御部６００に伝達する。
【００２１】
主制御部６００は、不図示のＣＰＵ、ＲＡＭ及びＲＯＭを備え、複合機１０００を統括的に制御する。特に、主制御部６００は、原稿読取部１００や、ファクシミリ制御部３００からファクシミリ受信として転送されてきたデジタル画像データに対して、必要な画像処理や圧縮・伸長処理を施す。また、このようにして処理した画像データを、印刷部２００に転送して印刷指示を出すことや、ファクシミリ制御部３００に転送してファクシミリ送信の指示を出す処理を実行する。このような処理全般は、操作部４００からの入力や、ファクシミリ制御部３００からのファクシミリ受信がトリガとなる。
【００２２】
主制御部６００は、液晶４０１に表示させる表示画像データを保持しており、状況に応じた表示画像データを液晶４０１に転送して表示させることが可能である。さらに、主制御部６００は、複合機１０００の各種設定を保持しており、本実施形態に関わる一例として、ファクシミリのモニタ音量の設定値を保持している。主制御部６００は、操作部４００からのユーザ入力を介して新たな設定入力を受け付け、ファクシミリ制御部３００に音量設定の指示を出すと共に、新たな設定を現在のモニタ音量設定値として保持する。
【００２３】
＜設定入力画面＞
次に、図３を参照して、本実施形態に係る、液晶４０１に表示されるファクシミリ通信のモニタ音量の設定入力画面４０１ａを説明する。設定入力画面４０１ａは、音量目盛り４０１６、スライダー４０１１、音量大キー４０１２、音量小キー４０１３、ミュートキー４０１４、キャンセルキー４０１５、及びＯＫキー４０１７を含んで構成される。
【００２４】
音量目盛り４０１６が示す通り、音量は１〜９段階で設定可能であり、図３に示すスライダー４０１１は５段目の目盛りを指している。そのため、現在の音量は、最大音量を９段階目のレベルとすると、５段階目のレベルである。また、音量大キー４０１２や、音量小キー４０１３を押下することで、スライダー４０１１を１段階ずつ移動することができる。
【００２５】
ＯＫキー４０１７を押下することで、主制御部６００に設定が保持されると共に、設定した音量が実現される。また、ミュートキー４０１４を押下することで、スライダー４０１１を音量目盛り４０１６の最も左端の１段階目に移動させることができ、モニタ音を消すことができる。設定操作をキャンセルしたい場合は、キャンセルキー４０１５を押下すればよい。このような操作により、モニタ音量の大小を設定することができる。
【００２６】
上記のモニタ音量の設定入力画面４０１ａを表示させるためには、一般的にはテンキー部４０３に当該画面に遷移するための専用キーを設けている。或いは、液晶４０１に表示した画面遷移を行うキーに対して、タッチパネル４０２のタッチ操作で画面表示させてもよい。
【００２７】
＜ファクシミリ動作＞
ここで、本実施形態に係るファクシミリ動作について説明する。主制御部６００は、ファクシミリ制御部３００からファクシミリ受信の通知があり、主制御部６００で保持しているモニタ音量設定値が所定値以上に大きく設定されていれば、液晶４０１にモニタ音量の設定入力画面４０１ａを自動的に表示させる。なお、ここではモニタ音の音量設定値が所定値以上か否かで設定入力画面４０１ａを自動的に表示する制御を説明するが、本発明を限定する意図はない。例えば、ファクシミリ受信の通知があった場合に常に設定入力画面４０１ａを表示してもよいし、他の条件を加えてもよい。例えば、来客等が予想される予め指定された時間であれば、表示するようにしてもよい。
【００２８】
ファクシミリ受信時にモニタ音量が大きい場合、ユーザに対して自動でモニタ音量を設定できる画面を表示させることで、即座に音量を抑える設定を行うことが可能となる。これにより、普段はファクシミリ受信時の音を十分に確認できる音量設定にしておきたいが、突発的に音量を抑えたい、というシチュエーションに有効である。
【００２９】
また、モニタ音量の変更は不要である場合も考えられる。この場合、ユーザが操作部４００を操作している時に、ファクシミリ受信をして自動で画面遷移してしまうと、操作していたユーザは不快に思うかもしれない。そこで、図４に示すように、画面遷移の許可入力画面（ポップアップ画面）４０１ｂを表示し、画面の遷移をユーザに選択させるようにしてもよい。許可入力画面４０１ｂは、ファクス音量（モニタ音量）を調節するための、設定入力画面４０１ａを表示するかを問い合わせるメッセージ４０２１と、当該画面への遷移をキャンセルするキャンセルボタン４０２２と、当該画面への遷移を許可するＯＫボタン４０２３とを含む。ＯＫボタン４０２３が押下されると、主制御部６００は、表示を設定入力画面４０１ａへ遷移させる。
【００３０】
＜処理手順＞
次に、図５を参照して、本実施形態に係る主制御部６００の処理手順を説明する。以下で説明する処理は、例えば主制御部６００のＣＰＵがＲＯＭに予め格納された制御プログラムをＲＡＭに読み出して実行することによって実現される。
【００３１】
Ｓ５０１で、主制御部６００は、ファクシミリ制御部３００におけるファクシミリ受信の有無を確認する。ファクシミリ受信がなければ処理を終了する。一方、ファクシミリ受信があればＳ５０２に進み、主制御部６００は、予め保持しているモニタ音の音量設定値を確認し、所定値以上であるか否かを判定する。所定値未満であった場合、処理を終了する。
【００３２】
ここで所定値とは、図３で示している９段階の音量目盛り４０１６のいずれかである。一般的には、ミュート状態である音量目盛り４０１６の１段階目、又は２段階目の小さな音量設定値が想定される。この値は、予め定められた固定値でもよいし、操作部４００を介してユーザに設定させ、設定値を主制御部６００に保持させる構成としてもよい。
【００３３】
Ｓ５０３で、主制御部６００は、Ｓ５０２でモニタ音量が所定値以上であった場合、図３に示すモニタ音量の設定入力画面４０１ａを液晶４０１に表示させる。なお、ここで表示する画面は図４に示す画面遷移の許可入力画面４０１ｂであってもよい。この場合、ＯＫボタン４０２３が押下された段階で、設定入力画面４０１ａを表示する。
【００３４】
上述したように、ユーザは、設定入力画面４０１ａを介して、モニタ音の音量を調節することができる。ここで設定された音量については、今回のファクシミリ受信時にのみ適用されてもよいし、調節された音量が次回以降のファクシミリ受信時において継続して適用されてもよい。今回のファクシミリ受信時にのみ適用される場合には、今回のファクシミリ受信が終了すると、主制御部６００は、予め設定された音量に戻す制御を行う。一方、調節された音量が次回以降のファクシミリ受信時において継続して適用される場合には、主制御部６００は、調節された音量で、予め記憶された音量設定値を更新する制御を行う。従って、設定入力画面４０１ａには、調節された音量を、上述のいずれで扱うかを設定する表示を含んでもよい。
【００３５】
以上説明したように、本実施形態に係る画像形成装置は、ファクシミリデータの受信に応じて、予め設定された音量でモニタ音を出力し、当該音量を調節する設定入力画面を表示部に表示する。また、本画像形成装置は、予め設定された音量が所定値以上であれば、当該設定入力画面を表示部に表示してもよい。このように、本実施形態によれば、ファクシミリ受信時のモニタ音を変更する画面を、ファクシミリの受信に応じて自動的に表示することができる。よって、ユーザは必要に応じて即座に音量調節を行うことができ、通常時においては安心してモニタ音を出力する設定にすることができる。なお、本実施形態では、ファクシミリ受信時の制御として説明したが、ファクシミリの送信時においても同様の制御が行われてもよい。
【００３６】
＜第２の実施形態＞
以下では、本発明の第２の実施形態について説明する。上記第１の実施形態では、ファクシミリ受信時に、モニタ音の音量設定値に応じて設定入力画面等を自動で表示するか否かを制御する構成について説明した。本実施形態では、人感センサを画像形成装置に設け、当該人感センサの出力に応じた省電力状態の復帰時に、設定入力画面等を自動で表示するか否かを制御する構成について説明する。
【００３７】
まず、図６を参照して、本実施形態に係る複合機１０００の一例を説明する。図１で説明した上記第１の実施形態における複合機１０００の構成に加えて、本実施形態に係る複合機１０００は、外装にスリット１００５が設けられている。スリット１００５の奥には、図７で後述する人感センサ８００が内蔵されており、スリット１００５を通じて人の接近の検知が可能となっている。その他の構成については、上記第１の実施形態において図１を用いて説明した構成と同様であるため説明を省略する。
【００３８】
＜複合機の構成＞
次に、図７を参照して、本実施形態に係る複合機１０００の構成例を説明する。本実施形態に係る複合機１０００は、上記第１の実施形態で説明した構成に加えて、人感センサ８００を備える。以下では、上記第１の実施形態との差分を主に説明する。人感センサ８００は、一定の検知範囲を有し、超音波センサ、焦電センサ、赤外線アレイセンサなどが用いられてもよい。ＵＩ制御部４０４は、人感センサ８００の出力に基づいて、当該人感センサの検知範囲における物体（人）の有無を検知する。さらに、ＵＩ制御部４０４は、物体との距離を検知し、距離の変化によって当該検知した物体が人であるか否かと、さらに人と検知した場合には検知した人が複合機１０００へ接近しているか否かを検知することができる。この制御はＵＩ制御部４０４を介して通知される人感センサ８００の出力に基づいて主制御部６００で行われてもよい。なお、人の接近の検知制御については、本発明の主題ではないため詳細な説明は省略する。
【００３９】
複合機１０００の未使用状態が一定時間続いた場合や、テンキー部４０３に含まれる節電キーが押下された場合には、主制御部６００は特定箇所の電源を遮断して、省電力状態に落とすことが可能である。例えば原稿読取部１００や印刷部２００、操作部４００の液晶４０１の電源を遮断して、複合機１０００の未使用時の消費電力を削減することができる。
【００４０】
このような省電力状態時には、ＵＩ制御部４０４は人感センサ８００を介して人の接近の検知が可能となる。この時、ＵＩ制御部４０４が人の接近を検知すると、主制御部６００にその旨を伝達する。主制御部６００はこの信号を受けて、電源遮断していた箇所に電源供給するよう制御し、省電力状態からスタンバイ状態へ復帰動作を行う。ユーザは、液晶４０１が真っ暗な複合機１０００に近づくと、自動で液晶４０１にメイン画面表示されるため、手動で省電力状態からスタンバイへの復帰操作を行う必要なく、スムーズに操作部４００の操作を開始できる。
【００４１】
＜ファクシミリ動作＞
ここで、上記省電力状態時におけるファクシミリ受信動作について説明する。このような人感センサ８００を有する複合機１０００において、省電力状態時でもファクシミリ受信は可能である。ファクシミリ制御部３００はファクシミリを受信すると、主制御部６００に伝達する。主制御部６００は、これを受けて印刷部２００のみに電源を供給するように制御し、印刷部２００に画像データを渡して印刷を行う。この制御中に本実施形態によれば、上記第１の実施形態で説明した設定入力画面等を自動で表示するか否かを制御する。
【００４２】
通常、主制御部６００は、前述の省電力状態時にファクシミリ制御部３００からファクシミリ受信の通知を受けると、印刷部２００のみに電源を供給するよう制御し、受信した画像データを印刷しようとする。さらに、主制御部６００は、スピーカ７００によって、スタンバイ時のファクシミリ受信時と同様に、回線のモニタ音を出力させる。
【００４３】
ここで、主制御部６００は、人感センサ８００を介して人の接近を検知した場合、省電力状態からスタンバイへの復帰動作を行う。さらに、主制御部６００は、ファクシミリ受信中であるため、保持されているモニタ音量設定値が所定値以上に大きく設定されていれば、液晶４０１にモニタ音量の設定入力画面４０１ａを表示させる。
【００４４】
省電力状態時においてファクシミリを受信した際、回線のモニタ音が大きいため、音量を小さくすべく複合機１０００を操作しに近づくユーザがいることが想定される。本実施形態ではこのような場合に対して、省電力状態からスタンバイへの復帰時に、液晶４０１に最初からモニタ音量の設定入力画面４０１ａを表示させる。そうすることでユーザは、即座に音量を小さくする設定を行えるため、利便性が高まる。また、モニタ音量の変更は不要である場合も考えられる。この場合は上記第１の実施形態で説明したように、省電力状態からスタンバイへの復帰時に、図４に示す画面遷移の許可入力画面４０１ｂを表示すればよい。なお、ここで、用語「復帰時」とは、「復帰中」及び「復帰後」の概念を含むものであり、主制御部６００が液晶４０１へ表示制御を開始できるタイミングからの期間を示す。
【００４５】
＜処理手順＞
以下では、図８を参照して、本実施形態に係る主制御部６００の処理手順を説明する。以下で説明する処理は、例えば主制御部６００のＣＰＵがＲＯＭに予め格納された制御プログラムをＲＡＭに読み出して実行することによって実現される。図８の動作フローチャートが実行されるのは、複合機１０００が省電力状態時に限る。
【００４６】
Ｓ８０１で、主制御部６００は、人感センサ８００及びＵＩ制御部４０４を介して、人の接近を検知したか否かを判定する。人の接近があるまで、複合機１０００は省電力状態に留まる。人の接近が検知されると、Ｓ８０２に進み、主制御部６００は、電源を遮断していた複合機１０００の所定の箇所に電源を供給し、スタンバイ状態への復帰処理を実行する。
【００４７】
次に、Ｓ８０３で、主制御部６００は、Ｓ８０２での省電力状態からの復帰時に、ファクシミリ制御部３００においてファクシミリ受信処理を行っている最中であるか否かを判断する。ファクシミリ受信処理を行っていなければ、Ｓ８０６に進み、主制御部６００は、省電力状態からスタンバイ状態に復帰する際に最初に表示するデフォルト画面を液晶４０１に表示させる。
【００４８】
一方、ファクシミリ受信処理の実行中であればＳ８０４に進み、主制御部６００は、予め保持しているモニタ音の音量設定値を確認し、所定値以上であるか否かを判定する。所定値未満であった場合はＳ８０６に進み、主制御部６００は、省電力状態からスタンバイ状態に復帰する際に最初に表示するデフォルト画面を液晶４０１に表示させる。ここで所定値については上記第１の実施形態で説明したものと同様であるため説明を省略する。一方、所定値以上であればＳ８０５に進み、主制御部６００は、モニタ音量の設定入力画面４０１ａを液晶４０１に表示させる。上記第１の実施形態と同様に、画面遷移の許可入力画面４０１ｂを表示してもよい。
【００４９】
以上説明したように、本実施形態に係る画像形成装置は、上記第１の実施形態の構成に加えて、人感センサをさらに備え、省電力状態において人感センサで人の接近を検知するとスタンバイ状態へ復帰する。さらに、本画像形成装置は、当該復帰時に、ファクシミリの受信中であればデフォルトの画面ではなく、設定入力画面を表示する。このように、本実施形態によれば、省電力状態からの復帰時においても、ファクシミリデータの受信中であれば設定入力画面を自動的に表示する。よって、ユーザは必要に応じて即座に音量調節を行うことができ、通常時においては安心してモニタ音を出力する設定にすることができる。
【００５０】
＜第３の実施形態＞
以下では、本発明の第３の実施形態について説明する。本実施形態は、上記第２の実施形態と複合機１０００の構成は同様であるが、人感センサ８００による人の接近の検知を行う機能がＯＦＦに設定される場合の制御について説明する。このような場合、省電力状態からスタンバイへの復帰は、操作部４００からの入力をトリガにして行われる。一例として、タッチパネル４０２のタッチ検知や、テンキー部４０３の特定のキー押下がある。このような省電力状態からの復帰時においても、上記第２の実施形態と同様の制御を行う。なお、本実施形態では、人の接近の検知を行う機能がＯＦＦに設定されている場合を想定しているが、ＯＮに設定されている場合にも適用することはできる。つまり、本実施形態と上記第２の実施形態とを組み合わせて適用することも可能である。この場合、人感センサ８００で人の接近を何らかの要因で検知できない場合であっても、ユーザ入力に応じてスタンバイ状態への復帰時に設定入力画面を表示するか否かの制御を行うことができる。
【００５１】
＜処理手順＞
図９を参照して、本実施形態に係る主制御部６００の処理手順を説明する。以下で説明する処理は、例えば主制御部６００のＣＰＵがＲＯＭに予め格納された制御プログラムをＲＡＭに読み出して実行することによって実現される。図９の動作フローチャートが実行されるのは、複合機１０００が省電力状態時であり、且つ、人感センサ８００による人の接近を検知する機能がＯＦＦにされている場合である。
【００５２】
Ｓ９０１で、主制御部６００は、ＵＩ制御部４０４を介して、操作部４００からの入力の有無を確認する。入力の種類は、前述のように、タッチパネル４０２のタッチや、テンキー部４０３の特定のキー押下などであってもよい。入力が有るまで、複合機１０００は省電力状態に留まる。一方、入力を検知すると、Ｓ８０２への処理に進み、上記第２の実施形態と同様の処理が実行される。
【００５３】
以上説明したように、本実施形態に係る画像形成装置は、省電力状態において操作部を介してユーザ入力を受け付けると、スタンバイ状態へ復帰する。さらに、本画像形成装置は、当該復帰時に、ファクシミリの受信中であればデフォルトの画面ではなく、設定入力画面を表示する。このように、本実施形態によれば、省電力状態からの復帰時においても、ファクシミリデータの受信中であれば設定入力画面を自動的に表示する。よって、ユーザは必要に応じて即座に音量調節を行うことができ、通常時においては安心してモニタ音を出力する設定にすることができる。
【００５４】
＜第４の実施形態＞
以下では、本発明の第４の実施形態について説明する。本実施形態では、上記第２及び第３の実施形態の構成に加えて、さらに、ユーザの認証に用いられるカードを読み取るためのカード読取部を備える場合の制御について説明する。上記実施形態と同様の構成及び制御については説明を省略する。
【００５５】
＜複合機の構成＞
図１０を参照して、本実施形態に係る複合機１０００の構成例を説明する。上記第２及び第３の実施形態における複合機１０００と異なる点は、カード読取部９００が主制御部６００に接続されている点である。カード読取部９００は、非接触のＩＣカードを読み取る構成としてもよいし、挿入型の磁気カードを読み取る構成としてもよい。カード読取部９００は、カードから読み取った情報を主制御部６００に伝達する。複合機１０００は、主制御部６００による認証機能を備えており、使用可能なユーザを認証する番号等をＩＤとして予め記憶している。そして、カード読取部９００によって、ユーザのカードに内蔵されたタグに書き込まれたＩＤを読み取り、主制御部６００は、予め記憶していたＩＤと合致すると、複合機１０００の使用を可能とする。
【００５６】
＜画面遷移＞
以下では、図１１乃至図１３を参照して、本実施形態に係る画面遷移について説明する。図１１は、液晶４０１に表示される認証に関わる画面を示す。
【００５７】
複合機１０００のユーザ認証が済んでいない状態の時は、液晶４０１には、図１１に示す認証待機画面４０１ｃが表示される。認証待機画面４０１ｃには、ＩＣカードを非接触のカードリーダ（カード読取部９００）へタッチすることを促すメッセージが表示され、キャンセルボタン及びキーボードでのログインに切り替えるボタンが選択可能に表示される。
【００５８】
ユーザは表示されている文言に従い、カード読取部９００に自身のＩＤが書き込まれたカードをタッチする。カード読取部９００は受信したカード情報を主制御部６００へ伝達する。主制御部６００は予め記憶した情報と比較し、認証を行う。認証が成功すると、例えば、図１１に示すように、主制御部６００は、画面をメインメニュー画面４０１ｄへ遷移させ、タッチパネル４０２をタッチ操作することで、複合機１０００の使用が可能となる。認証後、最初に表示する画面は、図１１のようにメインメニュー画面４０１ｄでもよいし、ユーザが設定したデフォルトの画面でもよい。
【００５９】
複合機１０００の使用が済んで、認証待機画面４０１ｃに戻るケースとしては、タッチパネル４０２のログアウトキーのタッチや、テンキー部４０３の専用キー押下によるログアウト操作となる。また、一定時間、複合機１０００が操作されなかった場合もユーザの使用が済んだとみなして、認証待ち状態となる。さらに、省電力状態に移行した後、スタンバイ状態に復帰した時も同様である。
【００６０】
図１２は、本実施形態に係る認証待機画面４０１ｃを表示中に複合機１０００がファクシミリ受信を行った場合の、液晶４０１の画面遷移を示す。
【００６１】
複合機１０００が認証待ち状態の時に、主制御部６００は、ファクシミリ制御部３００からファクシミリ受信の通知を受けることがある。その際、主制御部６００は、予め保持しているモニタ音の音量設定値が所定値以上に大きく設定されているか否かを判定し、設定されていれば、液晶４０１にモニタ音量の設定入力画面４０１ａを表示させる。つまり、本実施形態によれば、認証待機画面４０１ｃを表示中であるということは、まだユーザ認証が完了していないことを示し、そのような状態であってもモニタ音の音量設定を行う画面を自動的に表示する。
【００６２】
複合機１０００に認証機能を備えている場合、従来であれば認証作業（カード読取）を行い、それから音量設定を行う必要があった。しかし、認証を行わなくてもモニタ音量の設定入力画面４０１ａを即座に表示させることで、音量を素早く抑えることが可能となる。一方で、モニタ音量の変更は不要である場合も考えられる。この場合は上記第１乃至第３の実施形態と同様に、いきなりモニタ音量の設定入力画面４０１ａに遷移するのではなく、図１３に示すように、画面遷移の許可入力画面４０１ｂを表示すればよい。
【００６３】
＜処理手順＞
次に、図１４を参照して、本実施例に係る主制御部６００の処理手順を説明する。以下で説明する処理は、例えば主制御部６００のＣＰＵがＲＯＭに予め格納された制御プログラムをＲＡＭに読み出して実行することによって実現される。
【００６４】
Ｓ１４０１で、主制御部６００は、複合機１０００が認証待ち状態であり、液晶４０１に認証待機画面４０１ｃを表示する。続いて、Ｓ１４０２で、主制御部６００は、ファクシミリ制御部３００によってファクシミリ受信が開始されたか否かを判断する。開始された場合はＳ１４０３に進み、そうでない場合はＳ１４０５に進む。
【００６５】
Ｓ１４０３で、主制御部６００は、Ｓ１４０２でファクシミリ受信が開始された場合、予め保持しているモニタ音の音量設定値を確認し、所定値以上であるか否かを判定する。所定値以上であればＳ１４０４に進み、そうでなければＳ１４０５に進む。Ｓ１４０４で、主制御部６００は、液晶４０１にモニタ音量の設定入力画面４０１ａを表示させ、処理を終了する。ここでは、上述したように、図１３に示す画面遷移の許可入力画面４０１ｂを表示してもよい。
【００６６】
一方、Ｓ１４０５で、主制御部６００は、Ｓ１４０２でファクシミリ受信が無かった場合、又は、Ｓ１４０３でモニタ音量が所定値未満であった場合に、ユーザからのカード認証を待つ。主制御部６００は、カード読取部９００を介して読み取ったＩＤを認証し、予め記憶しているＩＤと一致した場合は、認証成功と判断し、Ｓ１４０６で認証後に表示させるデフォルト画面を表示する。また、Ｓ１４０５でカード認証が無い場合は、Ｓ１４０１に処理を戻し、再び最初から同じフローを繰り返す。
【００６７】
以上説明したように、本実施形態に係る画像形成装置は、ユーザを認証するためのカード読取部を備え、ユーザの認証がされていない場合は、認証待機画面を表示する。この認証待機画面を表示している間に、ファクシミリデータの受信が開始されると、本画像形成装置は、認証処理を必要とせず、自動的に設定入力画面を表示部に表示する。これにより、認証待ちの状態にファクシミリ受信があった場合であっても、認証動作をスキップしてモニタ音の音量調節が可能な画面を自動的に表示することができる。よって、ユーザは必要に応じて即座に音量調節を行うことができ、通常時においては安心してモニタ音を出力する設定にすることができる。
【００６８】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６９】
１０００：複合機、１００：原稿読取部、２００：印刷部、３００：ファクシミリ制御部、４００：操作部、４０１：液晶、４０２：タッチパネル、４０３：テンキー部、４０４：ＵＩ制御部、５００：回線Ｉ／Ｆ部、６００：主制御部、７００：スピーカ、４０１ａ：モニタ音量の設定入力画面
【図１】
2019169809.tif 000003
【図２】
2019169809.tif 000004
【図３】
2019169809.tif 000005
【図４】
2019169809.tif 000006
【図５】
2019169809.tif 000007
【図６】
2019169809.tif 000008
【図７】
2019169809.tif 000009
【図８】
2019169809.tif 000010
【図９】
2019169809.tif 000011
【図１０】
2019169809.tif 000012
【図１１】
2019169809.tif 000013
【図１２】
2019169809.tif 000014
【図１３】
2019169809.tif 000015
【図１４】
2019169809.tif 000016